(57)【要約】      （修正有）【課題】ケーブル巻き取り部にケーブルを整理して床にケーブルが着かないようにし、床の掃除も容易にすることができ、巻き取られたケーブルを見えないようにしてデスクの外観をきれいに維持することができる電気製品用デスクを提供する。【解決手段】デスク構造物に締結され、ケーブルが巻き取られて整理されるケーブル巻き取り部１１０と、デスク構造物に締結され、電源を供給する電源部１３０を含み、ケーブルをケーブル巻き取り部に巻き取って整理するように構成した。ケーブル巻き取り部は、デスク構造物のいずれか一つの地点に直線又は曲線形態の少なくとも一つ以上の突出棒１１４が所定距離突出して構成されている。【選択図】図２
0003213816.tif 000002
【実用新案登録請求の範囲】
【請求項１】
デスク構造物１０に締結され、ケーブルが巻き取られて整理されるケーブル巻き取り部１１０と、
前記デスク構造物１０に締結され、電源を供給する電源部１３０を含み、
ケーブルを前記ケーブル巻き取り部１１０に巻き取って整理するように構成された、
ケーブル巻き取り型デスク。
【請求項２】
前記ケーブル巻き取り部１１０は、デスク構造物１０のいずれか一つの地点に直線又は曲線形態の少なくとも一つ以上の突出棒１１４が所定距離突出された請求項１に記載のケーブル巻き取り型デスク。
【請求項３】
前記突出棒１１４は、外面に所定間隔毎に突起１１５が突出構成された請求項２に記載のケーブル巻き取り型デスク。
【請求項４】
前記突出棒１１４端部には突出棒１１４が延長されて折り曲がった形態でエンド１１６が構成された請求項２に記載のケーブル巻き取り型デスク。
【請求項５】
前記突出棒１１４端部には突出棒１１４の厚さより大きい造形物でエンド１１６が構成された請求項２に記載のケーブル巻き取り型デスク。
【請求項６】
前記ケーブル巻き取り部１１０はデスク構造物１０の所定間隔離隔された両地点を連結する少なくとも一つ以上の連結棒１１１で構成された請求項１に記載のケーブル巻き取り型デスク。
【請求項７】
前記連結棒１１１は、デスク構造物１０の所定間隔離隔された両地点で支持棒１１３が突出され、直線又は曲線形態の連結棒１１１が前記支持棒１１３端部に締結された請求項６に記載のケーブル巻き取り型デスク。
【請求項８】
前記連結棒１１１の外面には所定間隔で突起１１２が突出された請求項６に記載のケーブル巻き取り型デスク。
【請求項９】
前記ケーブル巻き取り部１１０は、周縁を構成するフレーム１１８と、前記フレーム１１８内部で両端部がフレーム１１８に締結されたフレームバー１１９とで構成され、フレーム１１８形態でデスク構造物１０に形成されたホールに前記フレーム１１８が挿入固定して構成された請求項１に記載のケーブル巻き取り型デスク。
【請求項１０】
前記フレームバー１１９は垂直方向、水平方向、又は垂直と水平方向の直線フレームバー１１９が組み合わされて構成された請求項９に記載のケーブル巻き取り型デスク。
【請求項１１】
前記フレームバー１１９は曲線の形態に成形された請求項９に記載のケーブル巻き取り型デスク。
【請求項１２】
前記フレームバー１１９の外面には所定間隔毎に突起１２１が突出形成された請求項９に記載のケーブル巻き取り型デスク。
【請求項１３】
前記電源部１３０は、一側が開放され、他側はストッパー１３３が形成された固定枠１３２がデスク構造物１０に締結され、マルチタップ１３１が前記固定枠１３２の開放された側面から挿入されて脱着可能に固定された請求項１に記載のケーブル巻き取り型デスク。
【請求項１４】
前記デスク構造物１０に締結され、デスク構造物１０に形成されたケーブル巻き取り部１１０と、電源部１３０を選択的に隠すカバー部１４０とがさらに構成された請求項１に記載のケーブル巻き取り型デスク。
【請求項１５】
前記カバー部１４０は、デスク構造物１０から突出されたカバー支持具１４４に板状のカバー１４１の一側がヒンジ締結されることにより、カバー１４１がヒンジを中心に回転し、ケーブル巻き取り部１１０と電源部１３０とを選択的に隠せるように開閉型に構成された請求項１４に記載のケーブル巻き取り型デスク。
【請求項１６】
前記デスク構造物１０からカバー支え具１４３が突出され、カバー１４１が閉じたときにカバー１４１の他側が前記カバー支え具１４３に接することにより、カバー１４１とデスク構造物１０との間に所定間隔を維持するように構成された請求項１５に記載のケーブル巻き取り型デスク。
【請求項１７】
前記ケーブル巻き取り部１１０は、デスク構造物１０から所定個数突出されてケーブルを巻き取る突出棒１１４で構成されることにより、カバー１４１が閉じたときにカバー１４１が突出棒１１４に接し、カバー１４１とデスク構造物１０との間に所定間隔を維持するように構成された請求項１５に記載のケーブル巻き取り型デスク。
【請求項１８】
前記カバー部１４０は、デスク構造物１０又はカバー１４２のいずれか一つにはロッド１４８が突出され、デスク構造物１０又はカバー１４２の他の一つにはロッド挿入口１５１が備えられた締結具１４９が形成されることにより、締結具１４９のロッド挿入口１５１にロッド１４８が挿入され、カバー１４２がケーブル巻き取り部１１０と電源部１３０とを選択的に隠すことができるように脱着型に構成された請求項１４に記載のケーブル巻き取り型デスク。
【請求項１９】
前記カバー部１４０は、デスク構造物にはケーブルが巻き取られて整理される突出棒１１４が形成されてケーブル巻き取り部１１０を代替し、カバー１４２には前記突出棒１１４が挿入されるロッド挿入口１５１が備えられた締結具１４９が形成されることにより、突出棒１１４がカバー１４２のロッド挿入口１５１に挿入固定されてカバー１４２を固定する脱着型に構成された請求項１４に記載のケーブル巻き取り型デスク。
【請求項２０】
前記突出棒１１４外面には所定間隔で突起１５２が突出された請求項１９に記載のケーブル巻き取り型デスク。
【考案の詳細な説明】
【技術分野】
【０００１】
本考案は、デスクに関するものであって、特にデスクに電源部とケーブル巻き取り用構造物を構成することにより、ケーブルをきれいに整理することができ、床にケーブルが着かないようにして床の掃除を容易にするケーブル巻き取り型デスクに関するものである。
【背景技術】
【０００２】
インターネットの発展や職業、趣味の多様化により１つのデスクでパソコン以外に多様な周辺機器や専門家用電気製品をマルチタップに連結して使用する使用者が増えている。
【０００３】
多様な種類の電気製品を連結して使用する場合、電源線やデータ伝送線、映像／音響用線など、非常に多くの線が連結されて床に着くため、汚れてしまい外観上不快感を与えることがある。それだけでなく、真空掃除機やほうき、ぞうきんなどで床を掃除する際に、ケーブルが絡まったり固定されて使用者が持ち上げにくい場合があり、これによりきれいに掃除ができないことがある。また、呼吸器疾患を誘発するなどの直間接的な衛生上の問題を引き起こす恐れもあり、水で掃除する場合には感電の危険が生じ得る。
【０００４】
これはマルチタップとデスクが別個に生産されて流通されるだけでなく、各使用者が必要とするデスクとマルチタップとの最適距離を生産段階では予め予測することができないため必然的に生じる問題である。
【０００５】
このような問題を解決するためにケーブルとマルチタップを収納ボックスに収納するか、マルチタップ又はケーブル整理装置をデスクに付着するなどの試みがあった。しかし、高度の装置構成や、デスクデザインの無理な変更なく使用者の手軽な作業だけでは多数のケーブルが床に着くことを完全に防止できないという機能上の限界点があった。
【考案の概要】
【考案が解決しようとする課題】
【０００６】
本考案はデスクの床にケーブルが着かなくするケーブル整理機能を有するデスクを提供し、使用者がデスクを購入した後、別途の工事や作業なく多くのケーブルを容易にまとめ、床に着かないようにケーブルをデスクに固定して床の掃除を容易にすることにより、呼吸器衛星や感電事故の防止などの長所を提供し、まとめられたケーブルにより外観上の不快感を緩和し、最小限のケーブル巻き取り作業により設置や整理の便宜を提供して使用者の生活の質を向上させることにその目的がある。
【課題を解決するための手段】
【０００７】
前記のような目的を達成するための本考案によるケーブル巻き取り型デスクは、デスク構造物１０に締結されてケーブルが巻き取られて整理されるケーブル巻き取り部１１０と、前記デスク構造物１０に締結されて電源を供給する電源部１３０を含み、ケーブルをケーブル巻き取り部１１０に巻き取って整理するように構成される。
【０００８】
このとき、前記ケーブル巻き取り部１１０は、上板１１、側板１２、後板１３及びデスクのはし１４などのデスク構造物１０のいずれか一つの地点に直線又は曲線形態の突出棒１１４が所定距離突出されることにより、突出棒１１４にケーブルを巻き取って整理するように構成することができる。
【０００９】
また、前記突出棒１１４は少なくとも一つ以上に構成し、互いに所定距離離隔されるように構成してケーブルを巻き取って整理するように構成することが好ましい。
【００１０】
また、前記突出棒１１４は、外面に所定間隔毎に突起１１５を突出構成して、突出棒１１４に巻き取られたケーブルが突出棒１１４から離脱されず、巻き取られた状態で維持されるように構成することが好ましい。
【００１１】
また、前記突出棒１１４の端部には突出棒１１４が延長されて折り曲がった形態でエンド１１６を構成して、突出棒１１４に巻き取られたケーブルが抜けないように構成することが好ましい。
【００１２】
また、前記突出棒１１４端部には突出棒１１４の厚さより大きい造形物でエンド１１６を構成して、突出棒１１４に巻き取られたケーブルが抜けないように構成することもできる。
【００１３】
そして、前記ケーブル巻き取り部１１０は、デスク構造物１０の所定間隔離隔された両地点を連結する少なくとも一つ以上の連結棒１１１で構成することもできる。
【００１４】
このとき、前記連結棒１１１はデスク構造物１０の所定間隔離隔された両地点で支持棒１１３が突出され、直線又は曲線形態の連結棒１１１が前記支持棒１１３端部に締結されるように構成して、ケーブルを連結棒１１１に巻き取って整理することができる。
【００１５】
このとき、前記連結棒１１１の外面には所定間隔で突起１１２を突出構成して、連結棒１１１に巻き取られたケーブルがそのまま動かず固定されるように構成することが好ましい。
【００１６】
そして、前記ケーブル巻き取り部１１０は周縁を構成するフレーム１１８と、前記フレーム１１８内部で両端部がフレーム１１８に締結されたフレームバー１１９とで構成され、フレーム１１８形態でデスク構造物１０に形成されたホールに前記フレーム１１８が挿入固定して構成されてもよい。
【００１７】
このとき、前記フレームバー１１９は垂直方向、水平方向、又は垂直と水平方向の直線フレームバー１１９が組み合わされて構成され、ケーブルを多様な形態に巻き取るように構成することが好ましい。
【００１８】
また、前記フレームバー１１９は曲線の形態に成形することもできる。
【００１９】
また、前記フレームバー１１９の外面には所定間隔毎に突起１２１を突出形成して、ケーブルが巻き取られた形態のままで固定されるように構成することが好ましい。
【００２０】
そして、前記電源部１３０は、一側が開放され、他側はストッパー１３３が形成された固定枠１３２がデスク構造物１０に締結され、マルチタップ１３１が前記固定枠１３２の開放された側面から挿入されて脱着可能に固定することにより、マルチタップ交換や修理が容易にできるように構成することが好ましい。
【００２１】
そして、前記デスク構造物１０に締結され、デスク構造物１０に形成されたケーブル巻き取り部１１０と、電源部１３０を選択的に隠すカバー部１４０とをさらに構成することにより、デスクの外観をきれいに構成することが好ましい。
【００２２】
また、前記カバー部１４０は、デスク構造物１０から突出されたカバー支持具１４４に板状のカバー１４１の一側がヒンジ締結されることにより、カバー１４１がヒンジを中心に回転し、ケーブル巻き取り部１１０と電源部１３０とを選択的に隠せるように開閉型に構成することができる。
【００２３】
このとき、前記デスク構造物１０からカバー支え具１４３が突出され、カバー１４１が閉じたときにカバー１４１の他側が前記カバー支え具１４３に接することにより、カバー１４１とデスク構造物１０との間に所定間隔を維持するように構成することが好ましい。
【００２４】
また、前記カバー支え具１４３端部に磁石１４７が設けられ、カバー支え具１４３と接するカバー１４１部分に磁石又は金属が締結されることにより、カバー１４１が閉じたときに磁力によりカバー１４１が固定されるように構成することが好ましい。
【００２５】
また、前記ケーブル巻き取り部１１０は、デスク構造物１０から所定個数突出されてケーブルを巻き取る突出棒１１４で構成されることにより、カバー１４１が閉じたときにカバー１４１が突出棒１１４に接し、カバー１４１とデスク構造物１０との間に所定間隔を維持するように構成することが好ましい。
【００２６】
そして、前記突出棒１１４のうちいずれか一つの突出棒１１４端部に磁石１４７が設けられ、磁石１４７が接するカバー１４１部分に磁石１４７又は金属が締結されることにより、カバー１４１が閉じたときに磁力によりカバー１４１が固定されるように構成することが好ましい。
【００２７】
そして、前記カバー部１４０はデスク構造物１０からロッド１４８が突出され、板状のカバー１４２の一面にロッド挿入口１５１が備えられた締結具１４９が形成されることにより、カバー１４２締結具１４９のロッド挿入口１５１にロッド１４８が挿入固定され、カバー１４２がケーブル巻き取り部１１０と電源部１３０とを選択的に隠すことができるように脱着型に構成することもできる。
【００２８】
このとき、前記デスク構造物１０にはロッド挿入口１５１が備えられた締結具１４９が突出され、カバー１４２の一面には前記ロッド挿入口１５１に挿入されるロッド１４８が突出されるように構成することもできる。
【００２９】
このとき、前記ロッド１４８の端部に磁石１４７が締結され、締結具１４９のロッド挿入口１５１内部に磁石１４７又は金属が締結され磁力によりカバー１４２が固定されるように構成することが好ましい。
【００３０】
そして、前記カバー部１４０はデスク構造物にはケーブルが巻き取られて整理される突出棒１１４が形成されてケーブル巻き取り部１１０を代替し、カバー１４２には前記突出棒１１４が挿入されるロッド挿入口１５１が備えられた締結具１４９が形成されることにより、突出棒１１４がカバー１４２のロッド挿入口１５１に挿入固定されてカバー１４２を固定する脱着型に構成することもできる。
【００３１】
このとき、前記突出棒１１４の外面には所定間隔で突起１５２を突出形成して、突出棒１１４に巻き取られたケーブルが動かないように固定することが好ましい。
【考案の効果】
【００３２】
前記のように構成された本考案によるケーブル巻き取り型デスクは、デスク自体に設けられたケーブルの整理道具を用いて多数のケーブルを別途の道具や装置なしに使用者が容易に整理して固定することにより、ケーブルが床に着かないようにして床の掃除を容易にするので呼吸器疾患を予防することができ、感電事故を防止する効果がある。
【００３３】
また、デスクのケーブル整理を通じてケーブルをきれいに整理することにより外観をきれいにし、使用者が電気製品の交替や構造変更のためにケーブル束の整理と解体を繰り返す場合、開放された設置位置や、簡単な使用法などにより手軽で速やかに再整理できる便宜性を提供し、電源線だけでなく非電源線（例えば、モニター線、スピーカ線等）までまとめて整理できるという効果がある。
【図面の簡単な説明】
【００３４】
【図１】デスクの後板にケーブル巻き取り部が構成された状態を示した斜視図。
【図２】デスクの側板にケーブル巻き取り部が構成された状態を示した斜視図。
【図３】デスクの上板にケーブル巻き取り部が構成された状態を示した斜視図。
【図４】デスクのはしとデスクのはし支持台にケーブル巻き取り部が構成された状態を示した斜視図。
【図５】デスクのはしにケーブル巻き取り部が構成された状態を示した斜視図。
【図６】連結棒形態のケーブル巻き取り部の使用状態を示した図面。
【図７】連結棒形態のケーブル巻き取り部の実施例を示した図面。
【図８】突出棒形態のケーブル巻き取り部の使用状態を示した図面。
【図９】突出棒形態のケーブル巻き取り部の実施例を示した図面。
【図１０】多様な形態の造形物が形成された突出棒形態のケーブル巻き取り部の使用状態を示した図面。
【図１１】多様な形態の造形物が形成された突出棒形態のケーブル巻き取り部の実施例を示した図面。
【図１２】連子型のケーブル巻き取り部の使用状態を示した図面。
【図１３】連子型のケーブル巻き取り部の実施例を示した図面。
【図１４】はし設置型のケーブル巻き取り部の使用状態を示した図面。
【図１５】はし設置型のケーブル巻き取り部の実施例を示した図面。
【図１６】デスクに電源部締結手段の例を示した図面。
【図１７】デスクに電源部締結手段の例を示した図面。
【図１８】デスクに電源部締結手段の例を示した図面。
【図１９】ケーブル巻き取り部に開閉型カバー部が構成された状態を示した図面。
【図２０】ケーブル巻き取り部に開閉型カバー部が構成された状態を示した図面。
【図２１】ケーブル巻き取り部に脱着型カバー部が構成された状態を示した図面。
【図２２】ケーブル巻き取り部に脱着型カバー部が構成された状態を示した図面。
【図２３】ケーブル巻き取り部に脱着型カバー部が構成された状態を示した図面。
【図２４】ケーブル巻き取り部に脱着型カバー部が構成された状態を示した図面。
【図２５】ケーブル巻き取り部に脱着型カバー部が構成された状態を示した図面。
【図２６】ケーブル巻き取り部に脱着型カバー部が構成された状態を示した図面。
【考案を実施するための形態】
【００３５】
以下では、本考案の好ましい実施例及び添付図面を参照して詳細に説明する。図面の同一の参照符合は同一の構成要素を示すことを前提とする。
【００３６】
考案の詳細な説明または請求の範囲において、ある一つの構成要素が他の構成要素を「含む」とする時、これは特に反対になる記載がない限り、該当構成要素のみでなされると限定されて解析されることではなく、他の構成要素をさらに含むことができることを意味する。
【００３７】
本考案によるケーブル巻き取り型デスクは、ケーブルを巻き取るためのケーブル巻き取り部１１０と、電源を供給するための電源部１３０及び付加的な構成として前記ケーブル巻き取り部１１０と電源部１３０を隠すカバー部１４０とで構成される。
【００３８】
一般的にデスクは、上板１１、側板１２、後板１３で構成されるか、又は上板１１、上板１１を支持するデスクのはし１４で構成されるが、本考案のケーブル巻き取り部１１０、電源部１３０及びカバー部１４０は前述したデスク構造物のどこにも設けることができる。
【００３９】
図１のように、ケーブル巻き取り部１１０及び電源部１３０をデスクの後板１３に設けることができ、図２のようにケーブル巻き取り部１１０及び電源部１３０をデスクの側板１２に設けることもでき、図３のようにケーブル巻き取り部１１０及び電源部１３０をデスクの上板１１に設けることもできる。
【００４０】
又は、図４のようにデスクのはし１４を連結してデスクのはし１４を補強するはし支持台１５及び上板１１の間にケーブル巻き取り部１１０を設けることもでき、図５のようにデスクのはし１４の間にケーブル巻き取り部１１０を設けることもできる。
【００４１】
以下、デスク構造物１０はデスクの上板１１、側板１２、後板１３、デスクのはし１４及びはし支持台１５を通称する用語として使用する。
【００４２】
前記のようにデスク構造物１０の多様な位置に設けて各種ケーブルを巻き取って保管するケーブル巻き取り部１１０は、大きく連結棒１１１形態と突出棒１１４の形態とで区分される。
【００４３】
連結棒１１１は図１及び図３に示したようにデスク構造物１０の２地点以上を連結する長い棒の形態である。このような連結棒１１１は図６に示したようにデスク構造物１０から二つ以上突出されて設けられることにより、図６のようにパソコンを始め各種電気製品のケーブルを巻き取って、ケーブルがデスクの床に着くことなくきれいに巻き取って保管することができる。
【００４４】
このとき、前記ケーブルはデスク構造物１０に形成されたケーブル通過空間１６又はケーブル通過ホール１７を通じてデスクの外部へ引き出して使用できるように構成することが好ましい。
【００４５】
このような連結棒１１１形態のケーブル巻き取り部１１０は多様な形態に構成できるが、図７の（ａ）のようにデスク構造物１０の２地点からそれぞれ支持棒１１３が突出され、前記突出された支持棒１１３に連結棒１１１端部が締結されることにより連結棒１１１がデスク構造物１０から離隔されるように構成することができる。
【００４６】
このとき、前記連結棒１１１の外面には所定間隔で突起１１２を突出形成して、電気製品毎にケーブルを区分して連結棒１１１に巻き取り、巻き取られたケーブルが移動しないように構成することが好ましい。
【００４７】
または、図７の（ｂ）のように、デスク構造物１０の３地点からそれぞれ支持棒１１３が突出され、前記突出された支持棒１１３に連結棒１１１の中央部分と両端部が締結されることにより、連結棒１１１の長さが長い場合に連結棒１１１が曲がらないように構成することもできる。
【００４８】
または、図７の（ｃ）のように、連結棒１１１を直線形態ではない曲線形態に成形し、前記曲線形態の連結棒１１１をデスク構造物１０の他の２地点に締結して構成することもできる。
【００４９】
または、図７の（ｄ）のように、デスク構造物１０の４地点から突出された支持棒１１３を構成し、直線形態である所定個数の連結棒１１１の両端部をそれぞれ前記支持棒１１３に締結することにより、多様な形態のケーブル巻き取り部１１０を構成することができる。
【００５０】
そして、突出棒形態のケーブル巻き取り部１１０は図２及び図８のように、デスク構造物１０から所定個数の突出棒１１４が突出されて構成されたものであって、図８のようにパソコンなどの電気製品のケーブルを一対の突出棒１１４に巻いてケーブルを整理するように構成される。このとき、前記突出棒１１４の厚さが厚い場合には一つの突出棒１１４にケーブルを巻き取って整理することができる。
【００５１】
前記のようなケーブル巻き取り部１１０はデスク構造物１０から突出棒１１４が突出されるが、図９の（ａ）及び（ｂ）のように突出棒１１４の端部を折り曲げてエンド１１６を形成して、ケーブルを突出棒１１４に巻く過程又は巻いた後にケーブルが突出棒１１４から抜け出さないように構成することが好ましい。
【００５２】
又は、前記エンド１１６を図９の（ｃ）及び（ｄ）のように球状に構成してケーブルが突出棒１１４から抜け出さないように構成することもできる。
【００５３】
そして、図９の（ａ）のように突出棒１１４に所定間隔毎に外側に突出された突起１１５を構成して巻き取られたケーブルが動かないように固定することもでき、図９の（ｄ）のように突出棒１１４を直線形態だけでなく曲線形態に構成することもできる。
【００５４】
そして、前記突出棒１１４は柱状だけでなく立体的で多様な形態に成形された造形物で構成されてもよい。
【００５５】
図１１の（ａ）のように外面に所定間隔で突起１１５が突出された円錐形態の造形物１１７で突出棒形態のケーブル巻き取り部１１０が構成されることもでき、図１１の（ｂ）のように球状の造形物１１７で突出棒形態のケーブル巻き取り部１１０を構成することもでき、図１１の（ｃ）のように断面が六角形である柱造形物１１７で突出棒形態のケーブル巻き取り部１１０を構成することもでき、図１１の（ｄ）のように雪だるま形態の造形物１１７で突出棒形態のケーブル巻き取り部１１０を構成することもできる。
【００５６】
前述のように連結棒１１１及び突出棒１１４形態のケーブル巻き取り部１１０は上板１１、側板１２又は後板１３などのデスク構造物１０から突出されて構成されたものであるが、デスク内部へ突出されないように連子型のケーブル巻き取り部１１０を構成することもできる。
【００５７】
図１２に示したように、連子型のケーブル巻き取り部１１０はデスクの側板１２又は後板を図１３の（ａ）乃至（ｄ）に示したフレーム１１８の形態に孔を穿孔し、穿孔した孔にフレーム１１８を挿入する。
【００５８】
図１３の（ａ）に示したケーブル巻取り部１１０は直線形態である所定個数のフレームバー１１９の両端部が互いに対向するフレーム１１８に締結固定されてそれぞれのフレームバー１１９が所定距離離隔されたものであって、図１２に示したようにパソコンなどの電気製品のケーブルを前記フレーム１１８内部のフレームバー１１９に巻き取ってケーブルを整理するように構成される。
【００５９】
このとき、前記のように構成された連子型ケーブル巻き取り部１１０のフレームバー１１９には所定間隔毎に突出された突起１２１を形成してフレームバー１１９に巻き取られたケーブルが解けることなく固定できるように構成することが好ましい。
【００６０】
前記連子型ケーブル巻き取り部１１０は図１３の（ｂ）のように四角形のフレーム１１８の内部にフレームバー１１９を横及び縦形態に組み合わせて構成することもでき、図１３の（ｃ）のように円形のフレーム１１８を形成し、フレームバー１１９の内部に曲線形態のフレームバー１１９を構成することもでき、図１３の（ｄ）のように円形のフレーム１１８を形成し、網状にフレームバー１１９を構成することもできる。
【００６１】
前述した連結棒形態のケーブル巻き取り部１１０と、突出棒形態のケーブル巻き取り部１１０と、造形物形態のケーブル巻き取り部１１０と、連子型のケーブル巻き取り部１１０は、デスクが上板１１、側板１２、後板１３からなった場合に構成できるケーブル巻き取り部１１０の形態である。
【００６２】
デスクは上板１１と、前記上板１１を支持する四つのデスクのはし１４から構成されるが、上板１１と四つのデスクのはし１４からなるデスクには、図４及び図５のようなはし設置型ケーブル巻き取り部１１０を構成することができる。
【００６３】
図４に示したはし設置型ケーブル巻き取り部１１０は、二つのデスクのはし１４を連結してデスクのはし１４を補強するはし支持台１５を用いて構成されたケーブル巻き取り部１１０であって、前記はし支持台１５と上板１１とを連結する横方向の所定個数の連結棒１１１が所定間隔で形成される。
【００６４】
前記のように構成された縦方向の連結棒１１１に多数の電気製品のケーブルを巻き取ることにより、ケーブルが床に着くことなくきれいに保管することができる。
【００６５】
図面には示していないが、前記縦方向の連結棒１１１に所定間隔毎に外側に突出された突起（未図示）を構成して、連結棒１１１に巻き取られたケーブルが解けることなく巻き取られた位置で固定されるように構成することが好ましい。
【００６６】
もし、図４のように、デスクのはし１４を連結して補強するはし支持台１５なく上板１１と四つのデスクのはし１４のみで構成された場合には、図５に示したようにデスクのはし１４を連結する所定個数の水平連結棒１１１で形成されたケーブル巻き取り部１１０を構成して、図１４に示したようにパソコンなどの電気製品のケーブルを連結棒１１１に巻き取って整理することができる。
【００６７】
前記のように、デスクのはし１４に設けられるはし設置型ケーブル巻き取り部１１０は多様な形態に構成できるが、図１５の（ａ）に示したように、所定間隔毎に突起１１２が形成された連結棒１１１を直線形態に成形して両端部をデスクのはし１４に締結してはし設置型ケーブル巻き取り部１１０を構成するか、図１５（ｂ）のように、それぞれのデスクのはし１４に曲線形態の連結棒１１を形成してケーブルを巻き取って整理するようにはし設置型ケーブル巻き取り部１１０を構成することもできる。
【００６８】
また、図１５の（ｃ）のように、それぞれのデスクのはし１４に突出棒１１４を形成してケーブル巻き取り部１１０を構成することもできる。このとき、図１５の（ｃ）のように突出棒１１４端部は折曲成形することにより、ケーブルを垂直又は水平形態に巻き取ることができるように構成することが好ましい。
【００６９】
そして、図１５の（ｄ）のように、それぞれのデスクのはし１４に所定間隔で水平の突出棒１１４を形成し、前記水平の突出棒１１４に所定間隔で垂直の突出棒１１４を形成することにより、それぞれのデスクのはしに網状のケーブル巻き取り部１１０を構成することもできる。
【００７０】
前記のように本考案の床の掃除が容易なケーブル巻き取り型デスクは、上板１１、側板１２、後板１３及びデスクのはし１４のようなデスク構造物１０に多様な形態にケーブル巻き取り部１１０を構成することにより、パソコン、モニター、スタンドのようにデスクで使用する多様な電気製品のケーブルを巻き取ってきれいに整理することができる。
【００７１】
そして、デスクで使用する多様な電気製品に電源を供給する電源部１３０が、図１乃至図５のように、ケーブル巻き取り部１１０と隣接した位置のデスクに構成されるが、一般的に電源部１３０は多数の電気製品に電源を供給することができるマルチタップ１３１が使用される。
【００７２】
図１６のように、上板１１、側板１２、後板１３及びデスクのはし１４のようなデスク構造物１０にマルチタップ１３１をボルト又は釘で締結して電源部１３０を構成する。
【００７３】
又は、図１７のように、デスク構造物１０に側面と一部前面が開放された形態の固定枠１３２を締結し、マルチタップ１３１を固定枠１３２の開放された側面に挿入して固定枠１３２に結合する。
【００７４】
このとき、固定枠１３２の他側に形成されたストッパー１３３がマルチタップ１３１を固定枠１３２内の正確な位置に固定させ、固定枠１３２の他側に形成されたコード引き出し口１３４を通じてマルチタップ１３１の電源線を外部へ引き出し、前面に露出されたマルチタップ１３１のコンセント部分に電気製品の電源コードを差し込んで電源の供給を受ける。
【００７５】
または、図１８に示したように、デスク構造物１０に掛け金１３５を形成し、マルチタップ１３１に形成された締結ホール（未符号）に前記掛け金１３５が挿入されるようにして電源部１３０を構成することもできる。
【００７６】
前述のように上板１１、側板１２、後板１３及びデスクのはし１４のようなデスク構造物１０にケーブル巻き取り部１１０及び電源部１３０を設けるとケーブルが露出されてデスクの外観が煩雑であり、デスクに座ったときにケーブルが足に引っかかって巻き取られたケーブルが解けるなどの問題点が生じ得る。
【００７７】
このような問題を解決するためにデスクに設けられたケーブル巻き取り部１１０及び電源部１３０を隠すカバー部１４０を構成する。
【００７８】
カバー部１４０は図１９乃至図２０に示した開閉型カバー部と、図２１乃至２６に示した脱着型カバー部で構成することができる。
【００７９】
図１９は開閉型カバー部１４０の一実施例を示した図面である。
【００８０】
図１９のように、ケーブル巻き取り部１１０と電源部１３０とが設けられたデスク構造物１０に所定間隔で離隔された一対のカバー支持具１４４を突出形成し、前記カバー支持具１４４の端部に取っ手１４６を備えた板状の開閉型カバー１４１の上端をヒンジ１４５でヒンジ締結する。
【００８１】
前記のように構成されたカバー部１４０は、開閉型カバー１４１を開けると図１９のように開閉型カバー１４１がカバー支持具１４４に締結されたヒンジ１４５を中心に回転して開き、開閉型カバー１４１により隠されたケーブル巻き取り部１１０及び電源部１３０が露出される。
【００８２】
図１９に示した実施例は、ケーブル巻き取り部１１０が一対の連結棒形態で構成されたケーブル巻き取り部１１０であって、マルチタップ１３１にコンセントを差し込み、連結棒にケーブルを巻いて整理するように構成されたものである。
【００８３】
ケーブル巻き取り部１１０にケーブルを巻いて整理した後、開閉型カバー１４１を閉じると、開閉型カバー１４１がケーブル巻き取り部１１０とマルチタップ１３１とを隠してデスクの外観がきれいになり、また使用者がデスクに座って作業する場合に使用者の足がケーブルに触れることがなくなる。
【００８４】
開閉型カバー１４１を閉めたときに開閉型カバー１４１の下端部に該当する位置のデスク構造物１０からカバー支え具１４３を突出形成することが好ましい。
【００８５】
開閉型カバー１４１を閉じたときに、カバー１４１の下端が前記カバー支え具１４３に接してカバー１４１とデスク構造物１０の間に空間を確保してケーブル巻き取り部１１０に巻き取られたケーブル及びマルチタップ１３１に差し込まれたコンセントがカバー１４１に押されないようにする。
【００８６】
また、前記カバー支え具１４３の端部及びカバー支え具１４３と接するカバー１４１部分に磁石１４７を設けることにより、カバー１４１が閉じた状態で磁力によりカバー１４１が開かないように構成することが好ましい。
【００８７】
図２０は開閉型カバー部１４０の他の実施例を示した図面である。
【００８８】
開閉型カバー部１４０の他の実施例は図２０に示したように、デスク構造物１０から所定長さだけ突出されたカバー支持具１４４にカバー１４１上端がヒンジ１４５でヒンジ締結されることにより、カバー１４１を閉じたときにカバー１４１によりケーブル巻き取り部１１０とマルチタップ１３１とが隠されるように構成される。
【００８９】
図２０に示した開閉型カバー部１４０の他の実施例は、図２０のように突出棒形態のケーブル巻き取り部１１０が構成されたものであって、図１９で示した実施例のようにカバー１４１が閉じたときにカバー１４１を支持する別途のカバー支え具１４３を構成せず、突出棒１１４がカバー支え具１４３の役割をすることにより、カバー１４１を閉じたときに突出棒１１４がカバー１４１をデスク構造物１０から所定距離離隔されるようにする。
【００９０】
このとき、突出棒１１４のいずれか一つの端部に磁石１４７を設け、これと対応するカバー１４１部分に磁石１４７を設けることにより、カバー１４１を閉じたときに磁力によりカバー１４１が開けないように構成することが好ましい。
【００９１】
以上では開閉型カバー部を説明した。以下では脱着型カバー部を説明する。
【００９２】
図２１は脱着型カバー部の一実施例を示した図面である。
【００９３】
脱着型カバー部の一実施例は、図２１に示したように、上板１１、側板１２、後板１３及びデスクのはし１４のようなデスク構造物１０にケーブル巻き取り部１１０及び電源部としてマルチタップ１３１を設け、デスク構造物１０から突出された所定個数のロッド１４８を形成する。
【００９４】
そして、一面に取っ手１４６が形成され、他面に締結具１４９が形成された板状の脱着型カバー１４２を形成する。
前記脱着型カバー１４２の締結具１４９には溝形態のロッド挿入口１５１が形成されたものであって、デスク構造物１０に形成されたロッド１４８がカバー１４２締結具１４９のロッド挿入口１５１に挿入固定されることによりカバー１４２がケーブル巻き取り部１１０及びマルチタップ１３１を隠す。
【００９５】
図２１に示した脱着型カバー部の一実施例のケーブル巻き取り部１１０は連子型ケーブル巻き取り部１１０であって、マルチタップ１３１にコンセントを差し込みケーブル巻き取り部１１０にケーブルを巻き取って整理した後カバー１４２を覆いケーブルを隠す。
【００９６】
このとき、図面には示してないが、前記ロッド１４８の端部とロッド挿入口１５１内部には磁石（未図示）を設けることにより、カバー１４２を閉じたときに磁力によりカバー１４２が勝手に開かないように構成することが好ましい。
【００９７】
図２２は脱着型カバー部の他の実施例を示した図面である。
【００９８】
図２１に示した実施例はカバー１４２を固定するためにロッド１４８を突出したものであるが、図２２に示した他の実施例はデスク構造物１０にケーブル巻き取り部１１０として突出棒１１４を突出形成し、前記突出棒１１４がカバー１４２締結具１４９のロッド挿入口１５１に挿入されてカバー１４２を固定するように構成される。
【００９９】
即ち、カバー１４２を固定するための別途のロッド１４８なくケーブル巻き取り部１１０である突出棒１１４がカバー１４２を固定する役割と、ケーブルを巻き取って整理する役割を同時に遂行できるように構成したものである。
【０１００】
そして、前記突出棒１１４の端部には磁石１４７を設け、締結具１４９のロッド挿入口１５１内部に磁石１４７を設けることにより、突出棒１１４がロッド挿入口１５１に挿入されたときに磁力によりカバー１４２が固定されるように構成する。
【０１０１】
図２３及び図２４は、脱着型カバー部のまた他の実施例を示した図面である。
【０１０２】
図２１及び図２２に示した実施例では、デスク構造物１０にロッド１４８を設け、脱着型カバー１４２にロッド挿入口１５１が備えられた締結具１４９を形成して、デスク構造物１０のロッド１４８がカバー１４２締結具１４９のロッド挿入口１５１に挿入されるように構成したが、図２３に示した実施例では、デスク構造物１０にロッド挿入口１５１が形成された締結具１４９を突出形成し、カバー１４２にロッド１４８を突出形成することにより、カバー１４２のロッド１４８がデスク構造物１０の締結具１４９ロッド挿入口１５１に挿入されるように構成する。
【０１０３】
このとき、図２４のようにロッド挿入口１５１内部とロッド１４８端部に磁石１４７を設け、磁力によりカバー１４２が堅固に固定できるように構成することが好ましい。
【０１０４】
図２５及び図２６は、脱着型カバー部のまた他の実施例を示した図面である。
【０１０５】
図２３及び図２４は、締結具１４９以外に別途のケーブル巻き取り部１１０を構成したものであるが、図２５及び図２６は締結具１４９をカバー１４２締結手段と共にケーブル巻き取り部１１０として使用するように構成する。
【０１０６】
このとき、締結具１４９外面に突起１５２を突出形成することにより締結具１４９に巻き取られたケーブルが動かないように構成することが好ましい。
【０１０７】
前記のように構成された本考案によるケーブル巻き取り型デスクは、デスク自体に設けられたケーブル巻き取り部１１０、電源部１３０及びカバー部１４０を通じて多数のケーブルを容易に整理して固定することにより、ケーブルがデスクの床に着かないようにし、床の掃除を容易にするので呼吸器疾患を予防することができ、感電事故を防止する。
【０１０８】
また、デスクのケーブル整理を通じてケーブルをきれいに整理することにより外観をきれいにし、使用者が電気製品の交替や構造変更のためにケーブル束の整理と解体を繰り返す場合には、開放された設置位置や、簡単な使用法などにより手軽で速やかに再整理できる便宜性を提供し、かつ電源線だけでなく非電源線（例えば、モニター線、スピーカ線等）までまとめて手軽に整理できる。
【０１０９】
以上、いくつかの実施例を通じて本考案の技術的思想を考察した。
【０１１０】
本考案の属する技術分野における通常の知識を有する者が本考案の記載事項から前記実施例を多様に変形及び変更ができることは自明である。
【０１１１】
また、たとえ明示的に図示及び説明されていないとしても、本考案の属する技術分野における通常の知識を有する者が本考案の記載事項により本考案による技術的思想を含む多様な形態の変形ができるのは自明であり、これは依然として本考案の権利の範囲に属する。
【符号の説明】
【０１１２】
１０    デスク構造物
１１    上板
１２    側板
１３    後板
１４    デスクのはし
１５    はし支持台
１６    ケーブル通過空間
１７    ケーブル通過ホール
１１０  ケーブル巻き取り部
１１１  連結棒
１１２  突起
１１３  支持棒
１１４  突出棒
１１５  突起
１１６  エンド
１１７  造形物
１１８  フレーム
１１９  フレームバー
１２１  突起
１３０  電源部
１３１  マルチタップ
１３２  固定枠
１３３  ストッパー
１３４  コード引き出し口
１３５  掛け金
１４０  カバー部
１４１  開閉型カバー
１４２  脱着型カバー
１４３  カバー支え具
１４４  カバー支持具
１４５  ヒンジ
１４６  取っ手
１４７  磁石
１４８  ロッド
１４９  締結具
１５１  ロッド挿入口
１５２  突起
【図１】
0003213816.tif 000003
【図２】
0003213816.tif 000004
【図３】
0003213816.tif 000005
【図４】
0003213816.tif 000006
【図５】
0003213816.tif 000007
【図６】
0003213816.tif 000008
【図７】
0003213816.tif 000009
【図８】
0003213816.tif 000010
【図９】
0003213816.tif 000011
【図１０】
0003213816.tif 000012
【図１１】
0003213816.tif 000013
【図１２】
0003213816.tif 000014
【図１３】
0003213816.tif 000015
【図１４】
0003213816.tif 000016
【図１５】
0003213816.tif 000017
【図１６】
0003213816.tif 000018
【図１７】
0003213816.tif 000019
【図１８】
0003213816.tif 000020
【図１９】
0003213816.tif 000021
【図２０】
0003213816.tif 000022
【図２１】
0003213816.tif 000023
【図２２】
0003213816.tif 000024
【図２３】
0003213816.tif 000025
【図２４】
0003213816.tif 000026
【図２５】
0003213816.tif 000027
【図２６】
0003213816.tif 000028